(57)【特許請求の範囲】
【請求項１】
板状部材により形成された筐体内に、それぞれ所定の機能を備える複数の電気ユニットが配設された遊技機において、
前記筐体の内面を構成する前記板状部材の所定の面に形成された第１、第２の開口部と、
前記板状部材内に形成されて前記第１の開口部と前記第２の開口部とを連通する連通路と、
前記第１の開口部に配置された第１のコネクタ部と、
前記第２の開口部に配置された第２のコネクタ部と、
前記連通路に配置されて前記第１のコネクタ部と前記第２のコネクタ部とを電気的に接続する接続部材とを備え、
前記複数の電気ユニットは、
前記第１のコネクタ部に結合・分離自在に結合することにより電気的に接続される第３のコネクタ部を有する第１の電気ユニットと、
前記第２のコネクタ部に結合・分離自在に結合することにより電気的に接続される第４のコネクタ部を有する第２の電気ユニットと
を含むことを特徴とする遊技機。
【請求項２】
前記第１の電気ユニットは、前記第１のコネクタ部との対向面に前記第３のコネクタ部が配置された第１の基板を有し、
前記第２の電気ユニットは、前記第２のコネクタ部との対向面に前記第４のコネクタ部が配置された第２の基板を有する
ことを特徴とする請求項１に記載の遊技機。
【請求項３】
前記筐体は、
前記板状部材の前記所定の面に凹状に形成された溝部と、
前記溝部の両端部を除き前記所定の面とほぼ同一面を成すように前記溝部の開口を閉塞する蓋体とを備え、
前記蓋体により前記溝部の開口が閉塞されて前記板状部材内に前記連通路が形成されていることを特徴とする請求項１または２に記載の遊技機。
【請求項４】
前記第１、第３のコネクタ部を視認できないように、前記第１、第３のコネクタ部の結合部分が前記板状部材と前記第１の電気ユニットとの間に配置され、
前記第２、第４のコネクタ部を視認できないように、前記第２、第４のコネクタ部の結合部分が前記板状部材と前記第２の電気ユニットとの間に配置される
ことを特徴とする請求項１ないし３のいずれかに記載の遊技機。
【発明の詳細な説明】
【技術分野】
【０００１】
本発明は、板状部材により形成された筐体内に、それぞれ所定の機能を備える複数の電気ユニットが配設された遊技機に関する。
【背景技術】
【０００２】
遊技機の一つであるスロットマシンでは、板状部材により形成された筐体内に、メイン制御ユニット、サブ制御ユニット、液晶表示ユニット、電源ユニットなど、それぞれ所定の機能を備える電気ユニットが配設されている。また、各電気ユニットそれぞれはユニット側コネクタ部を有し、ワイヤーハーネスやフレキシブルプリント回路基板（ＦＰＣ）などの接続部材の両端部に設けられた接続部材側コネクタ部がユニット側コネクタ部に結合されることにより、各電気ユニット間が接続部材を介して相互に電気的に接続される。
【０００３】
ところで、筐体の前面を開閉自在に閉塞する前面パネルが開放されたときに、上記した接続部材がむき出しになっていると、接続部材が不正に改造される、所謂ゴト行為が行われたり、各電気ユニット等の内部装置の補修や取り付け、取り外しの際に引っ掛かって接続部材が破損するおそれがある。そこで、これらの不具合を防止するために、筐体内において接続部材をケーブルダクト等の被覆手段により被覆することが提案されている（例えば特許文献１参照）。
【先行技術文献】
【特許文献】
【０００４】
【特許文献１】特開２００４−１４１５６０号公報（段落０００３〜０００５，００３２〜００３５、図１〜図１１など）
【発明の概要】
【発明が解決しようとする課題】
【０００５】
特許文献１の遊技機では、接続部材を被覆するケーブルダクト等の被覆手段を構成するためにカバー部材等の複数の別部材が必要なので、部品点数の増加に伴い遊技機の製造コストおよび製造工程の増大を招くという問題がある。また、両端部のコネクタ部間を電気的に接続する接続部材の全体をケーブルダクト等の被覆手段により被覆するのは困難であるため、例えばコネクタ部と接続部材との接続部分が露出し、外部からの不正なアクセスが可能な状態になることは否めない。さらに、ケーブルダクト等の被覆手段は、例えば筐体を形成する板状部材の内面に取付金具等を用いて取着されることにより筐体内の空間に突出した状態で配置され、その結果、筺体内における電気ユニットの配置スペース（配置レイアウト）が被覆手段により制限されるので、筺体内における電気ユニットの配置レイアウトの自由度が劣化する。
【０００６】
本発明は、上記課題に鑑みてなされたものであり、製造コストおよび製造工程を増大させることのない簡素な構成で複数の電気ユニット間を電気的に接続する接続部材が破損するのを確実に防止できると共に、接続部材に対するゴト行為を効果的に防止でき、筺体内における電気ユニットの配置レイアウトの自由度を向上できる遊技機を提供することを目的とする。
【課題を解決するための手段】
【０００７】
上記した目的を達成するために、本発明にかかる遊技機は、板状部材により形成された筐体内に、それぞれ所定の機能を備える複数の電気ユニットが配設された遊技機において、前記筐体の内面を構成する前記板状部材の所定の面に形成された第１、第２の開口部と、前記板状部材内に形成されて前記第１の開口部と前記第２の開口部とを連通する連通路と、前記第１の開口部に配置された第１のコネクタ部と、前記第２の開口部に配置された第２のコネクタ部と、前記連通路に配置されて前記第１のコネクタ部と前記第２のコネクタ部とを電気的に接続する接続部材とを備え、前記複数の電気ユニットは、前記第１のコネクタ部に結合・分離自在に結合することにより電気的に接続される第３のコネクタ部を有する第１の電気ユニットと、前記第２のコネクタ部に結合・分離自在に結合することにより電気的に接続される第４のコネクタ部を有する第２の電気ユニットとを含むことを特徴としている。
【０００８】
また、前記第１の電気ユニットは、前記第１のコネクタ部との対向面に前記第３のコネクタ部が配置された第１の基板を有し、前記第２の電気ユニットは、前記第２のコネクタ部との対向面に前記第４のコネクタ部が配置された第２の基板を有しているとよい。
【０００９】
また、前記筐体は、前記板状部材の前記所定の面に凹状に形成された溝部と、前記溝部の両端部を除き前記所定の面とほぼ同一面を成すように前記溝部の開口を閉塞する蓋体とを備え、前記蓋体により前記溝部の開口が閉塞されて前記板状部材内に前記連通路が形成されていてもよい。
【００１０】
また、前記第１、第３のコネクタ部を視認できないように、前記第１、第３のコネクタ部の結合部分が前記板状部材と前記第１の電気ユニットとの間に配置され、前記第２、第４のコネクタ部を視認できないように、前記第２、第４のコネクタ部の結合部分が前記板状部材と前記第２の電気ユニットとの間に配置されるようにするとよい。
【発明の効果】
【００１１】
請求項１にかかる発明によれば、筐体の内面を構成する板状部材の所定の面に第１、第２の開口部が形成され、第１の開口部に配置された第１のコネクタ部に第１の電気ユニットの第３のコネクタ部が結合されて電気的に接続され、第２の開口部に配置された第２のコネクタ部に第２の電気ユニットの第４のコネクタ部が結合されて電気的に接続され、第１の電気ユニットと第２の電気ユニットとが接続部材を介して電気的に接続される。このとき、接続部材は、筐体の板状部材内に形成されて第１の開口部と第２の開口部とを連通する連通路に配置されており、第１のコネクタ部および第２のコネクタ部のみが第１の開口部および第２の開口部にそれぞれ露出して配置されているため、接続部材に外部から不正にアクセスすることができない。さらに、接続部材が板状部材内に形成された連通路に配置されるので、筺体内における電気ユニットの配置スペース（配置レイアウト）が接続部材により制限されるおそれがない。
【００１２】
したがって、従来のケーブルダクト等の被覆手段を用いることなく、製造コストおよび製造工程を増大させることのない簡素な構成で複数の電気ユニット間を電気的に接続する接続部材が破損するのを確実に防止できると共に、接続部材に対するゴト行為を効果的に防止でき、筺体内における電気ユニットの配置レイアウトの自由度を向上できる遊技機を提供することができる。また、第１の電気ユニットを、その第３のコネクタ部を筐体の内面の第１の開口部に配置された第１のコネクタ部に接続すると同時に筐体内の所定位置に設置することができ、第２の電気ユニットを、その第４のコネクタ部を筐体の内面の第２の開口部に配置された第２のコネクタ部に接続すると同時に筐体内の所定位置に設置することができるので、遊技機の組立工程を簡略化することができる。さらに、被膜手段による電気ユニットの配置制限を解消できる。
【００１３】
請求項２にかかる発明によれば、第１の基板の第３のコネクタ部を筐体の内面の第１の開口部に配置された第１のコネクタ部に接続することにより第１の電気ユニットを筐体内の所定位置に容易に設置することができ、第２の基板の第４のコネクタ部を筐体の内面の第２の開口部に配置された第２のコネクタ部に接続することにより第２の電気ユニットを筐体内の所定位置に容易に設置することができる。
【００１４】
請求項３にかかる発明によれば、板状部材の所定の面に凹状に形成された溝部の両端部を除き、当該所定の面とほぼ同一面を成すように蓋体により溝部の開口を閉塞することにより、簡単に板状部材内に連通路を形成することができる。
【００１５】
請求項４にかかる発明によれば、第１、第３のコネクタ部を視認できないように、第１、第３のコネクタ部の結合部分が板状部材と第１の電気ユニットとの間に配置され、第２、第４のコネクタ部を視認できないように、第２、第４のコネクタ部の結合部分が板状部材と第２の電気ユニットとの間に配置されることにより、各コネクタ部の結合部分に容易にアクセスできないので、各コネクタ部に対するゴト行為を効果的に防止することができる。
【図面の簡単な説明】
【００１６】
【図１】本発明の第１実施形態であるスロットマシンの斜視図である。
【図２】図１のスロットマシンの電気的構成を示すブロック図である。
【図３】図１のスロットマシンの筐体の一部の切断平面を図である。
【図４】本発明の第２実施形態でのスロットマシンの筐体の一部の切断平面図である。
【図５】本発明の第３実施形態であるスロットマシンの筐体の要部の斜視図である。
【発明を実施するための形態】
【００１７】
＜第１実施形態＞
本発明の第１実施形態について、図１ないし図３を参照して説明する。
【００１８】
（構成）
本実施形態におけるスロットマシン１は図１に示すように構成されている。
【００１９】
すなわち、図１に示すように、スロットマシン１は、メダルなどの遊技媒体が例えば３枚の規定数投入され、後述するスタートスイッチ１９が操作されることを条件に一回の遊技が実行開始されるものであり、後壁を成す背側の板状部材１０１、左壁を成す左側の板状部材１０２、右壁を成す右側の板状部材１０３、上壁を成す上側の板状部材１０４及び下壁を成す下側の板状部材１０５の５枚の板状部材により形成された筐体３内に、それぞれ所定の機能を備える各種の電気ユニットが配設されている。また、筐体３の前面が前面パネル５により開閉自在に閉塞され、この前面パネル５のほぼ中央高さの位置に操作板７が配設されると共に、この操作板７の上方に正面板９が配設されている。
【００２０】
そして、この正面板９には横長矩形の表示窓１１が設けられている。また、表示窓１１の内側には、複数種類の図柄を予め定められた順序で可変表示する左・中・右リール１３Ｌ，１３Ｍ，１３Ｒが配置されている。左・中・右リール１３Ｌ，１３Ｍ，１３Ｒには、例えば「７」「ＢＡＲ」「Ｂｅｌｌ」「Ｃｈｅｒｒｙ」「Ｒ１（リプレイ）」「Ｒ２（リプレイ）」を含む複数種類の図柄が合計２１個、所定の配列でそれぞれ設けられている。また、各図柄には、０番から２０番までのコマ番号が順に付されている。そして、例えば、コマ番号０番から２０番までの図柄が印刷されたリールテープがリールの周面に貼り付けられて各リール１３Ｌ，１３Ｍ，１３Ｒがそれぞれ形成される。また、各リール１３Ｌ，１３Ｍ，１３Ｒが回転すると、コマ番号２０番、１９番、…、０番、２０番、…の予め定められた順に複数の図柄がそれぞれ表示窓１１に変動表示される。表示窓１１からは、各リール１３Ｌ，１３Ｍ，１３Ｒの回転が停止すると、図柄が上段、中段および下段にそれぞれ１個の合計３個ずつ覗くように設定されている。すなわち、３個すべてのリール１３Ｌ，１３Ｍ，１３Ｒが停止すると、縦３列横３行に配列された合計９個の図柄が表示窓１１に停止表示されるようになっている。
【００２１】
また、各リール１３Ｌ，１３Ｍ，１３Ｒをそれぞれ独立して回転駆動できるように、各リール１３Ｌ，１３Ｍ，１３Ｒには、それぞれステッピングモータにより構成されるリールモータ１４Ｌ，１４Ｍ，１４Ｒ（図２参照）が連結されている。
【００２２】
更に、操作板７には、内部に貯留されているクレジットメダルから１枚ずつのメダル投入を指示するためのベットスイッチ１５、クレジットメダルから１ゲーム（遊技）あたりの最大投入枚数（ここでは３枚に設定されている）のメダル投入を指示するための最大ベットスイッチ１７、各リール１３Ｌ，１３Ｍ，１３Ｒを回転させて各図柄の可変表示を開始させるレバー状のスタートスイッチ１９、左・中・右リール１３Ｌ，１３Ｍ，１３Ｒの回転をそれぞれ停止させて各図柄の可変表示を停止させる左・中・右ストップスイッチ２１Ｌ，２１Ｍ，２１Ｒ、クレジットメダルを払い出すための精算スイッチ２３、およびメダル投入口２５が設けられている。なお、各リール１３Ｌ，１３Ｍ，１３Ｒにより複数種類の図柄を可変表示する複数の可変表示列が形成されており、各ストップスイッチ２１Ｌ，２１Ｍ，２１Ｒは、各リール１３Ｌ，１３Ｍ，１３Ｒそれぞれに対応して設けられている。
【００２３】
また、正面板９の上方のほぼ中央には、動画などを表示して遊技者に当選や入賞などを告知したり、各ストップスイッチ２１Ｌ，２１Ｍ，２１Ｒの操作態様を報知したりする演出を行うための液晶表示器２７が設けられ、液晶表示器２７のすぐ上方には、各種の入賞図柄が表示された説明パネル２９が設けられ、液晶表示器２７および説明パネル２９の左右には、音楽や音声などによる演出を行うためのスピーカ３１Ｌ，３１Ｒ（電気ユニット）がそれぞれ設けられている。また、説明パネル２９およびスピーカ３１Ｌ，３１Ｒの上辺には中央ランプ部３３Ｍが配設され、その左右には左・右ランプ部３３Ｌ，３３Ｒがそれぞれ配設されている。各ランプ部３３Ｍ，３３Ｌ，３３Ｒには、それぞれ発光ダイオードなどの光源が配設されている。これらのランプ部３３Ｍ，３３Ｌ，３３Ｒは一体的に形成され、遊技者に当選や入賞を告知するなどの演出を行うための上部ランプ部３３（電気ユニット）を構成している。
【００２４】
また、操作板７の下方には、装飾画などが表示された下部パネル３５が設けられ、この下部パネル３５の左右には、それぞれ複数の光源が例えば２列に並んで配置された下部ランプ部３７Ｌ，３７Ｒ（電気ユニット）が設けられている。また、下部パネル３５の下方には、メダルの払出口３９や、この払出口３９から払い出されるメダルを受けるメダル受け４１が設けられている。また、正面板９には入賞ラインが描かれ、正面板９の左下隅にはクレジットメダルの貯留枚数を表示するクレジット表示器４５が配設されている。このクレジット表示器４５は、例えば２個の７セグメントＬＥＤで構成され、２桁の貯留枚数（最大で５０枚）が表示可能になっている。
【００２５】
また、各リール１３Ｌ，１３Ｍ，１３Ｒおよび各ステッピングモータ１４を一体的に支持してリールユニット（電気ユニット）を成す支持枠体が、筐体３内で、かつ筐体３の後壁を成す背側の板状部材１０１に固定されている。筐体３内の支持枠体の下方には、メダルを払出口３９に排出するためのホッパーユニット４３（電気ユニット：図２参照）が配設されている。また、メダル投入口２５付近の裏面側には、メダル投入口２５に投入されたメダルが正規のものか否かを選別して正規のメダルのみをホッパーユニット４３に導くメダルセレクタ４８（電気ユニット：図２参照）が配設されている。
【００２６】
続いて、スロットマシン１の電気的な構成について図２のブロック図を参照して説明する。
【００２７】
図２に示すように、投入センサ５３が、筐体３内部のメダル投入口２５近傍であってメダルセレクタ４８に設けられ、メダル投入口２５に投入されたメダルを１枚ずつ検出する。払出センサ５４が、ホッパーユニット４３の出口に設けられ、払出口３９に払い出されるメダルを１枚ずつ検出する。
【００２８】
図２の左・中・右位置センサ５５Ｌ，５５Ｍ，５５Ｒは、左・中・右リール１３Ｌ，１３Ｍ，１３Ｒの回転位置をそれぞれ検出するもので、例えば左・中・右リール１３Ｌ，１３Ｍ，１３Ｒにそれぞれ設けられた突起部を検出するフォトインタラプタからなり、左・中・右リール１３Ｌ，１３Ｍ，１３Ｒが回転すると、一周ごとに突起部を検出してその検出信号をメイン制御基板６３に出力する。この実施形態では、例えば左・中・右位置センサ５５Ｌ，５５Ｍ，５５Ｒが上記突起部を検出したときに、それぞれコマ番号２０番の図柄が表示窓１１の中段に位置するように構成されている。
【００２９】
図２のホッパーモータ５７は、ホッパーユニット４３に配設されて、その駆動によりメダルを払出口３９に向けて払い出す。
【００３０】
また、スロットマシン１には、遊技の進行に関する制御を行うメインＣＰＵ６１が実装されたメイン制御基板６３（本発明の「第１の基板」に相当）を備えるメイン制御ユニット６０（本発明の「第１の電気ユニット」に相当）と、メイン制御基板６３から送信された情報に基づき遊技の進行に合わせた演出の制御を行うサブＣＰＵ７１が実装されたサブ制御基板７３（本発明の「第２の基板」に相当）を備えるサブ制御ユニット７０（本発明の「第２の電気ユニット」に相当）とが別々に設けられ、メイン制御基板６３（メイン制御ユニット６０）からサブ制御基板７３（サブ制御ユニット７０）に対して一方向に各種のデータが送信される。なお、図３に示すように、メイン制御基板６３およびサブ制御基板７３は、外部から不正にアクセスすることができないように、それぞれ、基板ケース６８，７８内に厳重に封印されている。また、基板ケース６８，７８には、不正に解放されたことを確実に視認することができるように、種々の対策が講じられている。
【００３１】
図２のメイン制御基板６３のＲＡＭ６５は、スロットマシン１の遊技状態などの遊技に関するデータを一時的に記憶するものであり、メイン制御基板６３のＲＯＭ６７は、予め設定されたデータ（抽選テーブル、停止テーブルなど）を含む遊技機用プログラム（スロットマシン１用のプログラム）を記憶する。
【００３２】
図２のメイン制御基板６３のメインＣＰＵ６１は、タイマ割込などの割込機能を有し、ＲＯＭ６７に記憶された遊技機用プログラムを実行することにより、遊技の進行に関する処理を行う。この、メインＣＰＵ６１は、役抽選手段による抽選処理における役抽選結果に関するデータ、各ストップスイッチ２１Ｌ，２１Ｍ，２１Ｒ、スタートスイッチ１９等の遊技者により操作される操作器具の操作に関するデータなどの種々のデータを、所定のコマンド形式でサブ制御基板７３（サブＣＰＵ７１）に送信する。
【００３３】
図２のサブ制御基板７３のメモリ７５は、各種データを一時的に記憶するＲＡＭ部と、演出用の各種プログラムなどを記憶するＲＯＭ部とを備えている。また、サブ制御基板７３のサブＣＰＵ７１は、タイマ割込などの割込機能を有し、サブＣＰＵ７１は、メインＣＰＵ６１から送信されるスロットマシン１に関する各種のデータ（役抽選手段による抽選処理における役抽選結果、各ストップスイッチ２１Ｌ，２１Ｍ，２１Ｒ、スタートスイッチ１９等の操作器具が操作されたか、などに関するデータ）に基づいてメモリ７５に格納されたプログラムを実行し、遊技者に対する遊技に関連する演出の内容を決定する。また、サブ制御基板７３のサブＣＰＵ７１は、決定された演出の内容に基づいて、サブ制御基板７３が有するＩ／Ｏポートを介して、液晶表示器２７やスピーカ３１Ｌ，３１Ｒなどの演出機器の制御を行う。
【００３４】
（筐体の構成）
次に、スロットマシン１の筐体３の構成について図３を参照して説明する。なお、図３は、筐体３内に配置されたメイン制御ユニット６０およびサブ制御ユニット７０のスロットマシン１の高さ位置における切断平面図である。
【００３５】
図３に示すように、筐体３を構成する各板状部材１０１〜１０５のうち、スロットマシン１の後壁を成す背側の板状部材１０１は、凹状の溝部１０６ａが形成された第１の板１０６と、溝部１０６ａの両端部のそれぞれに対向する位置に透孔１０７ａが形成された第２の板１０７とが貼り合わされたり、ねじ等に固定されたりすることにより形成されている。これにより、板状部材１０１の内面１０１ａ（本発明の「所定の面」に相当）に、第１、第２の開口部１０８，１０９が形成され、板状部材１０１の内部に、第１の開口部１０８と第２の開口部１０９とを連通する連通路１１０が形成されている。
【００３６】
そして、第１のコネクタ部１１１が第１の開口部１０８に配置され、第２のコネクタ部１１２が第２の開口部１０９に配置され、第１のコネクタ部１１１と第２のコネクタ部１１２とを電気的に接続してワイヤーハーネスを成すフラットケーブル等のケーブル束１１３（本発明の「接続部材」に相当）が連通路１１０に配置されている。なお、第１、第２のコネクタ部１１１，１１２は、それぞれ、ねじ等を用いて固定されたり、第１、第２の開口部１０８，１０９に嵌め込まれたりすることにより、第１、第２の開口部１０８，１０９に固定配置される。
【００３７】
また、メイン制御基板６３の第１のコネクタ部１１１との対向面（裏面）に、第１のコネクタ部１１１に結合・分離自在に結合することにより電気的に接続される第３のコネクタ部１１４が基板ケース６８外に露出するように配置され、サブ制御基板７３の第２のコネクタ部１１２との対向面（裏面）に、第２のコネクタ部１１２に結合・分離自在に結合することにより電気的に接続される第４のコネクタ部１１５が基板ケース７８の外部に露出するように配置されている。そして、第１のコネクタ部１１１と第３のコネクタ部１１４とが結合され、第２のコネクタ部１１２と第４のコネクタ部１１５とが結合されることにより、メイン制御ユニット６０（メイン制御基板６３）とサブ制御ユニット７０（サブ制御基板７３）とがワイヤーハーネス（ケーブル束１１３）により電気的に接続されると共に、メイン制御ユニット６０およびサブ制御ユニット７０がそれぞれ筐体３内の所定の位置に配設される。
【００３８】
また、前面パネル５が開放されたときに、第１、第３のコネクタ部１１１，１１４を視認できないように、第１、第３のコネクタ部１１１，１１４の結合部分が板状部材１０１とメイン制御ユニット６０（メイン制御基板６３）との間に配置され、第２、第４のコネクタ部１１２，１１５を視認できないように、第２、第４のコネクタ部１１２，１１５の結合部分が板状部材１０１とサブ制御ユニット７０（サブ制御基板７３）との間に配置される。
【００３９】
以上のように、この実施形態によれば、筐体３を構成する板状部材１０１の内面１０１ａに第１、第２の開口部１０８，１０９が形成され、第１の開口部１０８に配置された第１のコネクタ部１１１にメイン制御ユニット６０の第３のコネクタ部１１４が結合されて電気的に接続され、第２の開口部１１９に配置された第２のコネクタ部１１２にサブ制御ユニット７０の第４のコネクタ部１１５が結合されて電気的に接続され、メイン制御ユニット６０とサブ制御ユニット７０とがワイヤーハーネス（ケーブル束１１３）を介して電気的に接続される。このとき、ケーブル束１１３は、筐体３の板状部材１０１内に形成されて第１の開口部１０８と第２の開口部１０９とを連通する連通路１１０に配置されており、第１のコネクタ部１１１および第２のコネクタ部１１２のみが第１の開口部１０８および第２の開口部１０９にそれぞれ露出して配置されているため、ケーブル束１１３に外部から不正にアクセスすることができない。
【００４０】
したがって、従来のケーブルダクト等の被覆手段を用いることなく、製造コストおよび製造工程を増大させることのない簡素な構成でメイン制御ユニット６０およびサブ制御ユニット７０間を電気的に接続するケーブル束１１３が破損するのを確実に防止できると共に、ケーブル束１１３に対するゴト行為を効果的に防止できるスロットマシン１を提供することができる。
【００４１】
また、メイン制御ユニット６０を、そのコネクタ部１１４を筐体３の内面１０１ａの第１の開口部１０８に配置された第１のコネクタ部１１１に接続すると同時に筐体３内の所定位置に設置することができ、サブ制御ユニット７０を、その第４のコネクタ部１１５を筐体３の内面１０１ａの第２の開口部１０９に配置された第２のコネクタ部１１２に接続すると同時に筐体３内の所定位置に設置することができる。したがって、メイン制御基板６０とサブ制御基板７０とを電気的に接続する際に、従来のように、ワイヤーハーネスやフラットケーブルを筐体３内において引き回す必要が無いので、スロットマシン１の組立工程を大幅に簡略化することができる。
【００４２】
また、メイン制御基板６３の第３のコネクタ部１１４を筐体３の内面１０１ａの第１の開口部１０８に配置された第１のコネクタ部１１１に接続することにより、メイン制御ユニット６０を筐体３内の所定位置に容易に位置決めして設置することができ、サブ制御基板７３の第４のコネクタ部１１５を筐体３の内面１０１ａの第２の開口部１０９に配置された第２のコネクタ部１１２に接続することにより、サブ制御ユニット７０を筐体３内の所定位置に容易に位置決めして設置することができる。
【００４３】
また、第１、第３のコネクタ部１１１，１１４の結合部分が板状部材１０１とメイン制御ユニット６０との間に配置され、第２、第４のコネクタ部１１２，１１５の結合部分が板状部材１０１とサブ制御ユニット７０との間に配置されることから、各コネクタ部１１１，１１２，１１４，１１５のいずれもがメイン制御ユニット６０（メイン制御基板６３）およびサブ制御ユニット７０（サブ制御基板７３）の背面（裏面）側に隠れて視認することができず、各コネクタ部１１１，１１２，１１４，１１５に不正にアクセスすることが不可能になり、各コネクタ部１１１，１１２，１１４，１１５に対するゴト行為を効果的に防止することができる。
【００４４】
また、第１、第２のコネクタ部１１１，１１２が筐体３に固定配置されているので、前面パネル５が開閉される際などに第１、第２のコネクタ部１１１，１１２（ケーブル束１１３）に不用意に外力が加わるおそれがなく、前面パネル５の開閉の際などに、結合状態の第１、第３のコネクタ部１１１，１１４や第２、第４のコネクタ部１１２，１１５が分離するのを防止することができる。
【００４５】
また、筐体３を形成する板状部材１０１に連通路１１０が形成されることにより、筐体３内にケーブル束１１３（ワイヤーハーネス）を配策する必要がなく、その結果、筐体内における各種の電気ユニットの配置スペース（配置レイアウト）がケーブル束１１３（ワイヤーハーネス）により制限されるおそれがない。さらに、筐体３の内部に空気が流れる空間を確保することができるので、筐体３内で発生した熱を外部に効率よく放熱することができる。また、連通路１１０と板状部材１０１の裏面側の空間とを連通する放熱用の透孔を板状部材１０１に形成することにより、放熱性をさらに向上させることができる。
【００４６】
＜第２実施形態＞
本発明の第２実施形態について、図４を参照して説明する。
【００４７】
この実施形態が上記した第１実施形態と異なるのは、図４に示すように、第１のコネクタ部１１１と第２のコネクタ部１１２とが、連通路１１０に配置されたフレキシブルプリント回路基板（ＦＰＣ）１１６（本発明の「接続部材」に相当）により電気的に接続されている点である。ＦＰＣ１１６の一端部に第１のコネクタ部１１１が接続され、他端部に第２のコネクタ部１１２が接続されることにより、ＦＰＣ１１６に設けられた配線電極パターンによって第１のコネクタ部１１１と第２のコネクタ部１１２とが電気的に接続される。その他の構成は上記した第１実施形態と同様であるため、同一符号を引用することによりその構成の詳細な説明を省略する。
【００４８】
この実施形態においても、上記した第１実施形態と同様の効果を奏することができる。
【００４９】
＜第３実施形態＞
本発明の第３実施形態について、図５を参照して説明する。
【００５０】
この実施形態が上記した第１実施形態と異なるのは、図５に示すように、連通路１１０の構成が異なる点である。以下の説明においては、上記した第１実施形態と異なる点を中心に説明を行い、その他の構成については上記した第１実施形態と同様であるため、同一符号を引用することによりその構成の詳細な説明を省略する。
【００５１】
図５に示すように、筐体３は、板状部材１０１の内面１０１ａに凹状に形成された略長方形状の溝部１１７と、溝部１１７の両端部を除き内面１０１ａとほぼ同一面を成すように溝部１１７の開口１１７ａを閉塞する蓋体１１８とを備えている。そして、蓋体１１８により、溝部１１７の開口１１７ａが両端部を除いて閉塞されることによって、板状部材１０１内に連通路１１０が形成されている。なお、板状部材１０１は、第１実施形態で説明したように、第１の板１０６及び第２の板１０７の２部材で構成されるのではなく、単一の部材で構成されている。
【００５２】
この実施形態では、図示省略されているが、溝部１１７および蓋体１１８のいずれか一方に係止爪が一体的に形成され、他方に該係止爪が係止する係止突起や係止構が形成されており、蓋体１１８は溝部１１７の開口１１７ａ部分に嵌め込まれることにより着脱不可能な状態で開口１１７ａ部分に固定配置される。なお、ねじ等を用いて板状部材１０１の裏面側から蓋体１１８が溝部１１７の開口１１７ａ部分に固定配置されるようにしてもよい。
【００５３】
なお、蓋体１１８は、板状部材１０１と同一の材質や、金属、樹脂など、種々の材質により形成することができるが、例えばアクリル樹脂などの透明な樹脂材料により形成されているとよい。このようにすれば、メイン制御ユニット６０およびサブ制御ユニット７０が取り外された際に、連通路１１０に配置されたケーブル束１１３やＦＰＣ１１６などの接続部材（以下、単に「接続部材」と称する場合もある）を透明な蓋体１１８を介して視認することができる。
【００５４】
また、接続部材は、例えば次のようにして連通路１１０に配置される。すなわち、まず、溝部１１７の第１の開口部１０８に相当する部分に第１のコネクタ部１１１が配置され、溝部１１７の第２の開口部１０９に相当する部分に第２のコネクタ部１１２が配置されるように、接続部材が溝１１７内に配置される。そして、蓋体１１８が溝部１１７の開口１１７ａ部分に嵌め込まれて固定配置されることによって、接続部材が連通路１１０に配置される。
【００５５】
以上のように、この実施形態によれば、板状部材１０１の内面１０１ａに凹状に形成された溝部１１７の両端部を除き、内面１０１ａとほぼ同一面を成すように蓋体１１８により溝部１１７の開口１１７ａの一部を閉塞することにより、簡単に板状部材１０１内に連通路１１０を形成することができる。
【００５６】
なお、本発明は上記した実施形態に限定されるものではなく、その趣旨を逸脱しない限りにおいて上述したもの以外に種々の変更を行うことが可能である。例えば、上記した実施形態では、筐体３の後壁を成す板状部材１０１に連通路１１０が形成されているが、その他の板状部材１０２〜１０５のいずれに第１、第２の開口部１０８，１０９および連通路１１０が形成されてもよい。すなわち、筐体３内における各電気ユニットの内部レイアウトに応じて筐体３の最適な位置に第１、第２の開口部１０８，１０９および連通路１１０を形成すればよい。このとき、第１、第２の開口部１０８，１０９それぞれが異なる板状部材に形成されていてもよく、この場合には、連通路１１０を複数の板状部材にまたがって形成すればよい。また、連通路１１０及び第１、第２の開口部１０８，１０９が設けられたケース体を、図５に示す溝部１１７内に嵌入させて固定配置することにより、板状部材１１０内に連通路１１０が形成されるようにしてもよい。
【００５７】
また、本発明の接続部材により互いに電気的に接続される第１、第２の電気ユニットは上記した例に限定されるものではなく、メイン制御ユニット６０やサブ制御ユニット７０、リールユニット、ホッパーユニット４３、メダルセレクタ４８、電源ユニット、液晶表示器２７の制御用基板を備える液晶表示ユニット、ランプ部、スピーカなどの電気ユニットが、本発明の第１、第２の電気ユニットとして接続部材により互いに電気的に接続されるようにしてもよい。また、制御基板や中継基板を有し、それぞれ所定の機能を備える複数の電気ユニットが、本発明の第１、第２の電気ユニットとして接続部材により互いに電気的に接続されることによって、液晶表示ユニットなどの各種のユニットが形成されるようにしてもよい。
【００５８】
また、本発明の接続部材は、上記したケーブル束１１３やＦＰＣ１１６に限定されるものではなく、第１のコネクタ部１１１と第２のコネクタ部１１２とを電気的に接続すると共に、連通路１１０に配置可能な部材であれば、どのようなものであってもよい。
【００５９】
また、上記した実施形態では、本発明の遊技機としてスロットマシン１を例に挙げて説明したが、パチンコ機や、スロットマシンとパチンコ機とを組み合わせた遊技機（所謂、パロット）に本発明を適用してもよく、このような遊技機に本発明を適用すれば、遊技媒体としてのパチンコ球を採用すればよい。また、本発明の遊技機として、コンピュータプログラムが実行されることによるビデオゲームを採用してもよい。また、リールユニットに代えて、液晶ディスプレイやＣＲＴなどの画像表示装置を用いて、この画像表示装置に複数の図柄を順次表示させるようにしてもよい。また、可変表示列の数は２列以上であればよく、遊技の態様に応じて適宜最適な数の可変表示列を構成すればよい。
【００６０】
そして、板状部材により形成された筐体内に、それぞれ所定の機能を備える複数の電気ユニットが配設された遊技機に本発明を広く適用することができる。
【符号の説明】
【００６１】
１…スロットマシン（遊技機）、３…筐体、６０…メイン制御ユニット（第１の電気ユニット）、６３…メイン制御基板（第１の基板）、７０…サブ制御ユニット（第２の電気ユニット）、７３…サブ制御基板（第２の基板）、１０１〜１０５…板状部材、１０１ａ…内面（所定の面）、１０８…第１の開口部、１０９…第２の開口部、１１０…連通路、１１１…第１のコネクタ部、１１２…第２のコネクタ部、１１３…ケーブル束（接続部材）、１１４…第３のコネクタ部、１１５…第４のコネクタ部、１１６…フレキシブルプリント回路基板、１１７…溝部、１１７ａ…開口、１１８…蓋体
【要約】
【課題】製造コストおよび製造工程を増大させることのない簡素な構成で複数の電気ユニット間を電気的に接続する接続部材が破損するのを確実に防止できると共に、接続部材に対するゴト行為を効果的に防止でき、筺体内における電気ユニットの配置レイアウトの自由度を向上できる遊技機を提供する。
【解決手段】メイン制御ユニット６０とサブ制御ユニット７０とが連通路１１０に配置されたワイヤーハーネス（ケーブル束１１３）を介して電気的に接続される。これにより、ケーブル束１１３に外部から不正にアクセスすることができず、従来のケーブルダクト等の被覆手段を用いることなく、簡素な構成でケーブル束１１３が破損するのを確実に防止できると共に、ケーブル束１１３に対するゴト行為を効果的に防止でき、筺体内における電気ユニットの配置レイアウトの自由度を向上できるスロットマシン１を提供することができる。
【選択図】図３【図１】
0005876951.tif 000002
【図２】
0005876951.tif 000003
【図３】
0005876951.tif 000004
【図４】
0005876951.tif 000005
【図５】
0005876951.tif 000006